(57)【特許請求の範囲】
【請求項１】
家具用の引き込み装置であって、引張ばね（２４）と緩衝装置（２３）とを有しており、引張ばね（２４）と緩衝装置（２３）とが傾倒セグメント（２６）に接続されていて、該傾倒セグメント（２６）が、停止位置と引き込み位置との間で調節可能であり、前記緩衝装置（２３）が、互いに調節可能な２つの調節部材（シリンダ２３．１，ピストンロッド２３．３）を有していて、停止位置から引き込み位置への傾倒セグメント（２６）の調節運動を少なくとも部分的に緩衝するようになっている形式のものにおいて、
前記傾倒セグメント（２６）がキャリッジ（２５）に支承されており、該キャリッジ（２５）が、緩衝装置（２３）の、引き込み位置とは反対側の端部に連結されているか、又は緩衝装置（２３）の、引き込み位置とは反対側の調節部材（シリンダ２３．１，ピストンロッド２３．３）に連結されており、前記緩衝装置（２３）が構造的に同じである２つのリニアダンパを有しており、これらのリニアダンパは、各リニアダンパの個別の部分緩衝ストロークが合計されて全緩衝ストロークが形成されるように、接続部材（２３．２）によって互いに連結されていることを特徴とする、家具用の引き込み装置。
【請求項２】
前記引張ばね（２４）は、キャリッジ（２５）が停止位置においてばね力で付勢されるように、キャリッジ（２５）に連結されている、請求項１記載の引き込み装置。
【請求項３】
前記傾倒セグメント（２６）がハウジング内に調節可能に支承されており、前記傾倒セグメント（２６）が、引き込み位置では、一方のハウジング側の領域にまで移動させられていて、停止位置では、一方のハウジング側と、この一方のハウジング側とは反対側の他方のハウジング側との間に位置している、請求項１又は２記載の引き込み装置。
【請求項４】
前記緩衝装置（２３）がリニアダンパを有しており、引張ばね（２４）がその両ばね端部で以て２つのばねホルダ（２５．４，２１．２）に保持されていて、これら２つのばねホルダ間に直線的に緊締可能であり、引張ばね（２４）の作用方向と緩衝装置（２３）の作用方向とが、互いに平行である、請求項１から３までのいずれか１項記載の引き込み装置。
【請求項５】
前記キャリッジ（２５）が、支承部（２５．６）を備えた収容部（２５．５）を有しており、該収容部（２５．５）に傾倒セグメント（２６）が保持されており、該傾倒セグメント（２６）が支承突起（２６．４）で以て旋回可能に前記支承部（２５．６）に支承されていて、キャリッジ（２５）と共に走行可能である、請求項１から４までのいずれか１項記載の引き込み装置。
【請求項６】
前記キャリッジ（２５）がベース部（２５．１）において突出部（２５．２）を支持しており、該突出部（２５．２）がダンパホルダ（２５．３）及びばねホルダ（２５．４）を有していて、これらのダンパホルダ及びばねホルダが、緩衝装置（２３）及び引張ばね（２４）に連結されている、請求項１から５までのいずれか１項記載の引き込み装置。
【請求項７】
前記傾倒セグメント（２６）がガイド突起（２６．６）で以てガイド軌道（２２．１１）内にガイドされていて、該ガイド軌道（２２．１１）が、停止区分（２２．１０）に移行するガイド区分（２２．９）を有しており、該ガイド区分（２２．９）が、前記ガイド突起（２６．６）を前記停止区分（２２．１０）内にガイドし、ひいては前記傾倒セグメント（２６）を傾倒させた状態にもたらす、請求項１から６までのいずれか１項記載の引き込み装置。
【請求項８】
ハウジングがガイド面（２１．６）を有しており、該ガイド面（２１．６）においてキャリッジ（２５）が直線的に調節可能にガイドされている、請求項１から７までのいずれか１項記載の引き込み装置。
【請求項９】
ハウジングが複数のストッパ（２１．５，２１．７）を有しており、これらのストッパ（２１．５，２１．７）間においてキャリッジ（２５）がガイドされている、請求項１から８までのいずれか１項記載の引き込み装置。
【請求項１０】
１つのキャビネット本体と、該キャビネット本体において開放位置と閉鎖位置との間で直線的に摺動可能な２つの引き戸（１２，１３）とを有するキャビネット（１０）において、
各引き戸（１２，１３）に、請求項１から９までのいずれか１項記載の引き込み装置が配属されていることを特徴とする、キャビネット（１０）。
【発明の詳細な説明】
【技術分野】
【０００１】
本発明は、家具用の引き込み装置であって、引張ばねと緩衝装置とを有しており、引張ばねと緩衝装置とが傾倒セグメントに接続されていて、該傾倒セグメントが、停止位置と引き込み位置との間で調節可能であり、前記緩衝装置が、互いに調節可能な２つの調節部材を有しており、停止位置から引き込み位置への傾倒セグメントの調節運動が少なくとも部分的に緩衝されるようになっている形式のものに関する。
【背景技術】
【０００２】
このような形式の引き込み装置は、ドイツ連邦共和国特許公告第１０２００７００８３６３号明細書により公知である。この公知の引き込み装置においては、ハウジング内に傾倒エレメントが直線的に調節可能となっている。傾倒セグメントは、リニアダンパのピストンロッドに接続されていると同時に、引張ばねに接続されている。傾倒セグメントは、引張位置と、傾倒された停止位置との間で調節せしめられる。傾倒セグメントが停止位置に位置している場合、引き戸が閉鎖位置に移動せしめられると、傾倒セグメントは一般的な形式で引き戸に固定されている連行体を把持する。次いで、傾倒セグメントは、傾倒された位置から抜き出され、引張ばねによって閉鎖位置へ移動せしめられる。この過程が、ばねの急激な負荷解除によって行われることがないように、緩衝装置はばね力に抗して作用する。傾倒セグメントは、引張ばねによって引き込み装置のハウジングの一方の側方領域に引き込まれるので、移動させようとする引き戸は、確実に閉鎖位置まで引き込まれる。傾倒セグメントが、ハウジングの側方領域に確実に密接するまで引き込まれるようにするために、引張ばねは変向ローラを巡ってガイドされ、変向ローラの後ろでハウジング側に保持されている。このような配置構成においては、特に変向ローラを必要とすることによって、構造的な費用がかかるという欠点がある。しかも、変向ローラは、引き込み装置の構造体積を不都合に大きくする。
【０００３】
類似の引き込み装置は、ドイツ連邦共和国実用新登録第２０２００４００６４１０号明細書により公知である。
【０００４】
ヨーロッパ特許第１６５８５７８５号明細書によれば、傾倒セグメントが同様に停止位置と引き込み位置との間で調節可能である引き込み装置が開示されている。引き込み位置は、傾倒セグメントが、引き込み装置のほぼ中央領域に位置するように、設計されている。このような引き込み装置は、抽斗を引き込むために設計されている。しかしながらこのような引き込み装置は、引き戸に使用するためには適していない。何故ならば、引き戸においては、安価な構造費用で引き戸を完全に閉鎖することができるように、傾倒セグメントは引き込み位置で、引き込み装置の一方側に引き込む必要があるからである。
【先行技術文献】
【特許文献】
【０００５】
【特許文献１】ドイツ連邦共和国特許公告第１０２００７００８３６３号明細書
【特許文献２】ドイツ連邦共和国実用新登録第２０２００４００６４１０号明細書
【特許文献３】ヨーロッパ特許第１６５８５７８５号明細書
【発明の概要】
【発明が解決しようとする課題】
【０００６】
本発明の課題は、冒頭に述べた形式の引き込み装置を改良して、安価な構造費用及び小さい構造体積で、特に引き戸を備えた家具において使用するために適したものを提供することである。
【課題を解決するための手段】
【０００７】
この課題を解決した本発明によれば、傾倒セグメントがキャリッジに枢着されており、該キャリッジが、緩衝装置の、引き込み位置とは反対側の端部に枢着されているか、又は緩衝装置の、引き込み位置とは反対側の調節部材に枢着されている。
【発明の効果】
【０００８】
本発明は、従来のように、傾倒セグメントを、引き込み位置に向いた側の、緩衝装置の調節部材に枢着するのではなく、引き込み位置とは反対側の調節部材に枢着するようにしたものである。これによって、緩衝装置の端部がキャリッジと共に摺動せしめられるので、まず特に圧力ダンパを使用することができ、前記ドイツ連邦共和国特許公告第１０２００７００８３６３号明細書におけるように、引張ダンパは使用できないようになっている。また、従来技術において必要であったように、傾倒セグメントをハウジングの一方の側方領域内に引き込むために、引張ばねを変向させる必要なない。これによって、引張ばねのための変向ローラ又はこれと類似のものを省くことができ、ひいては、構造体積を著しく縮小し、かつ確実な運転形式で得られる。また組み立て費用及び構成部材費用も安価になる。
【０００９】
本発明の有利な実施態様によれば、傾倒セグメントがハウジング内に調節可能に支承されており、前記傾倒セグメントが、引き込み位置において、一方のハウジング側の領域まで移動せしめられ、一方のハウジング側と、この一方のハウジング側とは反対側の他方のハウジング側との間の停止位置に位置するようになっている。
【００１０】
緩衝装置がリニアダンパを有しており、引張ばねがその両ばね端部で以て２つのばねホルダに保持されていて、これら２つのばねホルダ間に直線的に緊締可能であり、引張ばねの作用方向と緩衝装置の作用方向とが、互いに平行であるように構成されていれば、構造体積をさらに小さくすることができる。
【００１１】
キャリッジが、支承部を備えた収容部を有しており、該収容部に傾倒セグメントが保持されており、該傾倒セグメントが支承突起と共に旋回可能に前記支承部に支承されていて、キャリッジと共に走行可能であることによって、キャリッジの機能を簡単な形式で高めることができる。
【００１２】
本発明の別の実施態様に従って、キャリッジがベース部において突出部を支持しており、該突出部がダンパホルダ及びばねホルダを有していて、これらのダンパホルダ及びばねホルダが、緩衝装置及び引張ばねに枢着されていれば、ばね力を傾倒セグメントに確実に伝達することができる。また、傾倒セグメントがガイド突起で以てガイド軌道内にガイドされていて、該ガイド軌道が、停止区分に移行するガイド区分を有しており、該ガイド区分が、前記ガイド突起を前記停止区分内にガイドし、ひいては前記傾倒セグメントを傾倒させた状態にもたらすようになっていることによって、傾倒セグメントの確実な機能性が保証される。
【００１３】
特に有利な実施態様によれば、緩衝装置が構造的に同じである２つのリニアダンパを有しており、これらのリニアダンパが、接続部材によって互いに連結されていて、各リニアダンパの個別の部分緩衝ストロークが合計されて全緩衝ストロークを形成している。このような形式で、確実に作業する標準的なリニアダンパを用いることができる。
【００１４】
ハウジングがガイド面を有しており、該ガイド面においてキャリッジが直線的に調節可能にガイドされていれば、引き込み装置の構造をさらに簡略化することができる。
【００１５】
ハウジングが複数のストッパを有しており、これらのストッパ間においてキャリッジがガイドされるようになっていれば、確実な運転が保証される。
【００１６】
以下に本発明を図示の実施例を用いて説明する。
【図面の簡単な説明】
【００１７】
【図１】２つの引き戸を有するキャビネットを水平に断面した概略図である。
【図２】所属の連行体を有する引き込み装置の部分を示す斜視図である。
【図３】異なる運転位置における、図２に示した装置の斜視図である。
【図４】連行体とキャリッジとの組み合わせを示す部分的な斜視図である。
【図５】連行体なしの、図４に示したキャリッジの斜視図である。
【図６】図４に示した傾倒セグメントを後ろから見た斜視図である。
【図７】図６に示した傾倒セグメントを別の方向から見た斜視図である。
【図８】図２及び図３に示した。
【発明を実施するための形態】
【００１８】
図１は、２つの垂直な側壁１１を備えたキャビネット本体を有するキャビネット１０を示す。キャビネット１０の前面は、前部の引き戸１２及び後部の引き戸１３によって閉じられている。前部の引き戸１２は、後部の引き戸１３の前を直線的に摺動せしめられ、その右側の閉鎖位置から左側の開放位置へ移動させることができる。後部の引き戸１３は左側の閉鎖位置から右側の開放位置へ摺動せしめられる。引き戸１２，１３の後側にはそれぞれ連行体３０が固定されている。前部の引き戸１２は、その連行体３０が後部の引き戸１３を越えて摺動せしめられることはない。
【００１９】
２つの引き戸１２，１３をその閉鎖位置へ引き込むために、引き込み装置２０が用いられる。引き込み装置２０は傾倒セグメント２６を有しており、この傾倒セグメント２６は連行体３０と協働して作業する。例えば前部の引き戸１２は、その開放位置から、傾倒セグメント２６によって引き戸１２の連行体３０がキャッチされるまで摺動せしめられる。次いで、引き込み装置２０は、前部の引き戸１２をその図１に示した閉鎖位置へ引き寄せ、この閉鎖位置で前部の引き戸１２を保持する。引き込み装置２０は、傾倒セグメント２６が側壁１１の内壁に密接するまで引き寄せられるように、キャビネット１０内に組み付けられている。それに応じて、傾倒セグメント２６は、引き込み装置２０の縁部領域内に引き寄せられる。
【００２０】
図２は引き込み装置２０を示しているが、この場合、ハウジングの内部構造を見やすくするために、ハウジング部分２２（図８参照）が取り除かれており、それによって引き込み装置２０の機能形式が具体的に示されている。図２はハウジング部分２１を示しており、このハウジング部分２１は、図８に示したハウジング部分２２と共にハウジング全体を構成する。ハウジング部分２１はばね収容部２１．１を有しており、このばね収容部２１．１はその右側端部が、ばねホルダ２１．２を画定している。このばねホルダ２１．２内に引張ばね２４が保持されている。さらにハウジング部分２１は受容部２１．３を有しており、該受容部２１．３に緩衝装置２３が固定されている。緩衝装置２３は、２つのダンパ２３．１を有しており、これらのダンパ２３．１は、リニア・エアダンパ（Luft-lineardaemper）として構成されている。このダンパ２３．１はシリンダを有しており、該シリンダ内でピストンが、形成された空気圧に抗して調節可能である。ピストンにはピストンロッド２３．３が接続されており、このピストンロッド２３．３は端部側が、ピストンロッド２３．３に一体成形された固定部材２３．４を形成している。固定部材２３．４は、ピストンロッド２３．３がその長手方向で摺動不能となるように、収容部２１．３内に挿入されている。緩衝装置２３は同じ構造の２つのダンパ２３．１を有しており、これらのダンパ２３．１は、接続部材２３．２を介して接続されている。このような形式で、２つのダンパ２３．１の２つの部分緩衝ストロークが合計されて、２倍の全緩衝ストロークとなる。左側のダンパ２３．１はさらにピストンロッド２３．３を有しており、このピストンロッド２３．３は固定部材２３．４に接続されている。固定部材２３．４は、キャリッジ２５のダンパホルダ２５．３内に固定されている。キャリッジ２５はベース部２５．１を有しており、このベース部２５．１に付加部２５．２が一体成形されている。付加部２５．２は、ダンパホルダ２５．３及びばねホルダ２５．４を支持している。このばねホルダ２５．４に、引張ばね２４の、ばね収容部２１．１とは反対側の端部が固定されている。図２に示されているように、キャリッジ２５に収容部２５．５が設けられており、該収容部２５．５に傾倒セグメント２６が保持されている。キャリッジ２５は、ハウジング部分２１のキャリッジ収容部内でリニア状（linear；直線的）に調節される。このために、キャリッジ収容部はリニアガイド２１．４を有しており、このリニアガイド２１．４は、ハウジング部分２１の側壁によって形成されている。また、キャリッジ２５は、ガイド２１．４に直角に接続する、カバー側のガイド面２１．６に沿ってガイドされている。さらにキャリッジ２５は、ハウジング部２１の、前記ガイド面２１．６とは反対側のハウジング側に設けられたばねホルダ２５．４に支えられており、それによってキャリッジ２５は確実にガイドすることができる。
【００２１】
図４及び図５には、キャリッジ２５に対する傾倒セグメン２６の対応関係が詳しく示されている。図示されているように、キャリッジ２５は収容部２５．５を有しており、該収容部２５．５は、孔として構成された支承部２５．６を備えている。
【００２２】
傾倒セグメント２６は図６及び図７に詳しく説明されている。図面にしめされているように、傾倒セグメント２６は支持体２６．１を有しており、該支持体２６．１は、正面側に突き当たり面２６．２を備えている。また支持体２６．１は、支承部材２６．３を有しており、該支承部材２６．３は両側にピン状の支承付加部を備えている。２つの支承付加部は共通の旋回軸を形成している。支承部材２６．３の正面側もブラケット２６．５が一体成形されている。このブラケット２６．５は、その自由端部において、側方に突き出すガイド突起２６．６を支持している。ブラケット２６．５の自由端部から、ばねアーム２６．７が突き出している。このばねアーム２６．７は、係止突起２６．８で終わっている。係止突起２６．８は、端部側にロックバー２６．９を備えている。ロックバー２６．９は、ブラケット２６．５の収容部内に収容されている。ばねアーム２６．７及びブラケット２６．５の配置構成は、ばねアーム２６．７がブラケット２６．５に向かって湾曲され、係止突起２６．８が直線的にブラケット２６．５の切欠内に摺動せしめられるように、設計されている。ロックバー２６．９は、係止突起２６．８が、図６に示した位置から上方に向かって、収容部から抜け出すのを阻止する。係止突起２６．８は、突き当たり面２６．２に向いた側に、ロックエレメント２６．１０として用いられる面を備えている。ロックエレメント２６．１０と突き当たり面２６．２との間に連行体収容部２６．１１が形成されている。傾倒エレメント２６は、図４に示されているように、その支承突起２６．４がキャリッジ２５の支承部２５．６に嵌め込まれている。次いで、傾倒エレメント２６はキャリッジ２５に対して、支承突起２６．４によって形成された旋回軸を中心にして旋回可能である。
【００２３】
引き込み装置２０を組み付けるために、まず引張ばね２４がキャリッジ２５のばねホルダ２５．４内に固定される。次いで緩衝装置２３がダンパホルダ２５．３に固定される。キャリッジ２５と緩衝装置２３と引張ばね２４とから形成された構造ユニットは、ハウジング部分２１内に入れられる。次いでハウジングは、図８に示したようにハウジング部分２２によって補完される。図８に示されているように、ハウジング部分２２は、ばね収容部２２．１を有しており、該ばね収容部２２．１はハウジング部分２１のばね収容部２１．１と重ね合わされ、この際に、ハウジング部分２１及び２２のねじ収容部２１．８及び２２．８は、互いに合致するようになっている。ねじ収容部２１．８及び２２．８を通って固定ねじが貫通ガイドされ、ナットによって固定され、それによってハウジング部分２１及び２２は互いに堅固に固定される。ハウジング部分２２はガイド軌道２２．１１を有しており、該ガイド軌道２２．１１は、リニア状の（直線的な）ガイド区分２２．９と、このガイド区分２２．９に接続された停止区分２２．１０とを有している。ガイド区分２２．９は、停止区分２２．１０にアーチ状に移行している。２つのハウジング部分２１，２２が組み合わされると、傾倒セグメント２６のガイド突起２６．６がガイド軌道２１．１１内に突入し、このガイド軌道２１．１１内で摺動せしめられる。さらに、第２のハウジング部分２２がガイド２２．４を有しており、該ガイド２２．４は、キャリッジ２５をガイドするための第１のハウジング部分２１のガイド２１．４を補完する。
【００２４】
次に引き込み装置の機能形式について説明する。
【００２５】
図２及び図３に示されているように、引き込み装置２０と連行体３０とが協働する。連行体３０はアクチュエータ３２を有している。また連行体３０に固定プレート３１が一体成形されており、この固定プレート３１は２つのねじ孔を有している。これらのねじ孔を貫通して固定ねじが差し込まれ、所属の前部若しくは後部の引き戸１２，１３内にねじ込まれる。これによって連行体３０はこれらの引き戸１２，１３に固定されている。傾倒セグメント２６が図２に示した停止位置にくると、ガイド突起２６．６が停止区分２２．１０内に突入し、この停止区分２２．１０で保持される。この運転状態で、引張ばね２４は完全に緊締され、ダンパ２３．１の２つのピストンロッド２３．３は、完全に引き出されている。引き戸１２若しくは１３は、開放位置又は部分開放位置にある。引き戸１２若しくは１３はその閉鎖位置に向かって移動せしめられる。引き戸１２若しくは１３が閉鎖位置に達する直前に、連行体３０のアクチュエータ３２は傾倒セグメント２６の突き当たり面２６．２に突き当たる。突き当たり面２６．２は、支承突起２６．４によって規定された旋回軸に対して間隔を保っているので、傾倒セグメント２６を停止区分２２．１０から持ち上げる傾倒モーメントが発生する。次いでガイド突起２６．６は、リニア状のガイド区分２２．９の領域内に達する。引張ばね２４が作動し、キャリッジ２５及びひいては傾倒セグメント２６を、図３に示した引き込み位置に引き込む。
【００２６】
引張ばね２４の引き込み力が、圧力ダンパとして構成されたダンパ２３．１に抗して作用する。この際に、引き戸１２若しくは１３は、図１に示した閉鎖位置に引き込まれる。引き戸１２，１３が再び開放されると、引き戸１２，１３と一緒に連行体３０が移動せしめられる。この際に、アクチュエータ３２がロックエレメント２６．１０にぶつかる。ロックエレメント２６．１０は連行体３０をロックするので、連行体３０は、傾倒セグメント２６を、引張ばね２４のばねプリロード（ばね付勢力）に抗してガイド区分２１．９内で直線的に摺動させる。ガイド突起２６．６がガイド区分２１．９の領域を通過すると直ちに、ガイド突起２６．６は、停止区分２１．１０内に移行するアーチ状の移行部の領域内に達する。ここで傾倒エレメント２６．６は、傾倒位置に移動せしめられ、停止区分２１．１０によって規定された停止位置に収納される。この状態で、連行体３０は自由に移動せしめられ、引き戸１２，１３は開放せしめられる。この位置は図２に示されている。
【符号の説明】
【００２７】
１０  キャビネット、  １１  側壁、  １２  前部の引き戸、  １３  後部の引き戸、  ２０  引き込み装置、  ２１  ハウジング部分、  ２１．１  ばね収容部、  ２１．２  ばねホルダ、  ２１．３  収容部、  ２１．４  リニアガイド、  ２１．６  カバー側のガイド面、  ２１．８  ねじ収容部、  ２１．１１  分離面、  ２２  ハウジング部分、  ２２．４  ガイド、  ２２．９  ガイド区分、  ２２．１０  停止区分、  ２２．１１  ガイド軌道、  ２２．１２  分離面、  ２３  緩衝装置、  ２３．１  ダンパ、  ２３．２  接続部材、  ２３．３  ピストンロッド、  ２３．４  固定部、  ２４  引張ばね、  ２５  キャリッジ、  ２５．１  ベース部、  ２５．２  突出部、  ２５．３  ダンパホルダ、  ２５．４  ばねホルダ、  ２５．５  収容部、  ２５．６  支承部、  ２６  傾倒セグメント、  ２６．１  支持体、  ２６．２  突き当たり面、  ２６．３  支承部材、  ２６．４  支承突起、  ２６．５  ブラケット、  ２６．６  ガイド突起、  ２６．７  ばねアーム、  ２６．８  係止突起、  ２６．９  ロックバー、  ２６．１０  ロックエレメント、  ２６．１１  連行体収容部、  ３０  連行体、  ３１  固定プレート、  ３２  アクチュエータ
【図１】
0005566311.tif 000002
【図２】
0005566311.tif 000003
【図３】
0005566311.tif 000004
【図４】
0005566311.tif 000005
【図５】
0005566311.tif 000006
【図６】
0005566311.tif 000007
【図７】
0005566311.tif 000008
【図８】
0005566311.tif 000009